(57)【要約】【課題】  クロスメンバの要求剛性を低く抑えて重量軽減を図ることができるスイングアーム部構造を提供する。【解決手段】  スイングアーム７１が左右一対のアーム体７３間にクロスメンバ７４を設けてなり、該スイングアーム７１の先端側には後輪３が懸架され、かつクロスメンバ７４の上方には後ファイナルリダクションギヤユニット１４に接続される後輪駆動用の後ドライブシャフト１２が配置されるスイングアーム部構造において、クロスメンバ７４が、側面視で各アーム体７３の外形内に収まると共に、底部が上部よりも幅広な断面台形状とされる。【選択図】  図６
2006103376.tif 000002
【特許請求の範囲】
【請求項１】
スイングアームが左右一対のアーム体間にクロスメンバを設けてなり、該スイングアームの先端側には車輪が懸架され、かつ前記クロスメンバの上方にはファイナルリダクションギヤユニットに接続される車輪駆動用のドライブシャフトが配置されるスイングアーム部構造において、前記クロスメンバが、側面視で各アーム体の外形内に収まると共に、底部が上部よりも幅広な断面台形状とされることを特徴とするスイングアーム部構造。
【請求項２】
前記各アーム体が、下方に向けて凸形となるように湾曲していることを特徴とする請求項１に記載のスイングアーム部構造。
【請求項３】
前記ドライブシャフトが、車体左右中央からオフセットして設けられる一方、クッションユニットが車体左右略中央に設けられることを特徴とする請求項１又は請求項２に記載のスイングアーム部構造。
【請求項４】
前記ドライブシャフトが、その外表面を露出させた状態で配置されることを特徴とする請求項１から請求項３の何れかに記載のスイングアーム部構造。
【請求項５】
前記クロスメンバが、前記ドライブシャフトの露出部分を覆うことを特徴とする請求項４に記載のスイングアーム部構造。
【発明の詳細な説明】
【技術分野】
【０００１】
この発明は、スイングアーム式サスペンションを採用した車両のスイングアーム部構造に関する。
【背景技術】
【０００２】
従来、上述のような車両において、左右一対のアーム体間にクロスメンバを設けてなるスイングアームの先端側に車輪及びファイナルリダクションギヤユニットが支持され、かつ前記クロスメンバの上方にはスイングアームの基端側から先端側に向けて延びる車輪駆動用のドライブシャフトが配置されるものがある（例えば、特許文献１参照。）。これは、クロスメンバによりドライブシャフトに飛石等が当たり難くしたものである。
【特許文献１】特開２００３−１９１８８１号公報
【発明の開示】
【発明が解決しようとする課題】
【０００３】
ところで、上記従来の技術においては、クロスメンバが各アーム体よりも下方に突出するように湾曲して設けられており、該クロスメンバが路面等から受ける外力に対して高い剛性を必要とすることとなるため、重量軽減を図ることが難しかった。
そこでこの発明は、クロスメンバの要求剛性を低く抑えて重量軽減を図ることができるスイングアーム部構造を提供する。
【課題を解決するための手段】
【０００４】
上記課題の解決手段として、請求項１に記載した発明は、スイングアーム（例えば実施例のスイングアーム７１）が左右一対のアーム体（例えば実施例の各アーム体７３）間にクロスメンバ（例えば実施例のクロスメンバ７４）を設けてなり、該スイングアームの先端側には車輪（例えば実施例の後輪３）が懸架され、かつ前記クロスメンバの上方にはファイナルリダクションギヤユニット（例えば実施例の後ファイナルリダクションギヤユニット１４）に接続される車輪駆動用のドライブシャフト（例えば実施例の後ドライブシャフト１２）が配置されるスイングアーム部構造において、前記クロスメンバが、側面視で前記アーム体の外形内に収まると共に、底部が上部よりも幅広な断面台形状とされることを特徴とする。
【０００５】
この構成によれば、クロスメンバが各アーム体よりも下方へ突出することがなく、路面等に接触し難くなるため、このような接触を考慮してクロスメンバの剛性を必要以上に高める必要がなくなる。また、クロスメンバが直線的に構成されることで、該クロスメンバの剛性確保が容易になる。さらに、クロスメンバの底部が幅広に設けられることで、ドライブシャフトに飛石等が当たり難くなると共に、上部が幅狭に設けられることで、クロスメンバの重量を抑えることが可能となる。
【０００６】
請求項２に記載した発明は、前記各アーム体が、下方に向けて凸形となるように湾曲していることを特徴とする。
この構成によれば、各アーム体間に設けられるクロスメンバが下方に位置することとなり、該クロスメンバ上方にドライブシャフトを配設し易くなる。
【０００７】
請求項３に記載した発明は、前記ドライブシャフトが、車体左右中央からオフセットして設けられる一方、クッションユニット（例えば実施例のリアクッションユニット７２）が車体左右略中央に設けられることを特徴とする。
この構成によれば、クッションユニットが車体左右略中央に配置されると共に、該クッションユニットの左右にドライブシャフト及びブレーキユニットが配置されることとなり、クッション性能を良好に維持し易くなる。
【０００８】
請求項４に記載した発明は、前記ドライブシャフトが、その外表面を露出させた状態で配置されることを特徴とする。
また、請求項５に記載した発明は、前記クロスメンバが、前記ドライブシャフトの露出部分を覆うことを特徴とする。
この構成によれば、ドライブシャフト用のカバーを廃止してコストダウン及び重量軽減を図りつつ、該ドライブシャフトの露出部分をクロスメンバで保護することが可能となる。
【発明の効果】
【０００９】
請求項１に記載した発明によれば、クロスメンバの要求剛性を低く抑えると共に剛性確保を容易にして重量軽減を図ることができ、かつドライブシャフトの保護性を高めることができる。
請求項２に記載した発明によれば、ドライブシャフトのレイアウト性を向上させることができる。
請求項３に記載した発明によれば、良好なクッション性能を得ることができる。
請求項４，５に記載した発明によれば、スイングアーム部のコストダウン及び重量軽減を図った上でドライブシャフトの保護性を高めることができる。
【発明を実施するための最良の形態】
【００１０】
以下、この発明の実施例を図面を参照して説明する。なお、以下の説明における前後左右等の向きは、特に記載が無ければ車両における向きと同一とする。また、図中矢印ＦＲは車両前方を、矢印ＬＨは車両左方を、矢印ＵＰは車両上方をそれぞれ示す。
【００１１】
図１に示す鞍乗り型四輪車（車両）１は、小型軽量に構成された車体の前後に、比較的大径の低圧バルーンタイヤである左右の前輪２及び後輪３を備えることで、最低地上高を大きく確保し、主に不整地での走破性を高めた所謂ＡＴＶ（Ａｌｌ  Ｔｅｒｒａｉｎ  Ｖｅｈｉｃｌｅ）である。各前輪２及び後輪３は、車体フレーム４のフロント部４ａ及びリア部４ｃにおいて、後に詳述するフロントサスペンション６０及びリアサスペンション７０を介して懸架されている。
【００１２】
車体フレーム４のセンタ部（換言すれば車体略中央部）４ｂには、鞍乗り型四輪車１の原動機としてのエンジン５が搭載される。エンジン５は、例えば水冷式の単気筒レシプロエンジンであり、クランクシャフトの回転軸線を車両前後方向に沿って配した所謂縦置きレイアウトとされる。エンジン５は、そのクランクケース６上にシリンダ部７が立設された構成を有し、該クランクケース６の前部及び後部における車体左右中央よりも左側にオフセットした部位からは、前後方向に沿う前出力軸８及び後出力軸９がそれぞれ前方又は後方に向けて導出される。
【００１３】
各出力軸８，９は、それぞれ前ドライブシャフト１１又は後ドライブシャフト１２、並びに前ファイナルリダクションギヤユニット１３又は後ファイナルリダクションギヤユニット１４等を介して、各前輪２又は後輪３と連係されており、したがってエンジン５からの出力は、クランクケース６内に収容された不図示の変速機を介した後、該各出力軸８，９から各ドライブシャフト１１，１２及びファイナルリダクションギヤユニット１３，１４等を介して各前輪２及び後輪３に伝達される。
【００１４】
図２を併せて参照して説明すると、エンジン５のシリンダ部７の後部にはスロットルボディ２１が接続され、該スロットルボディ２１の後部にはエアクリーナケース２２が接続される。また、シリンダ部７の前部には排気管２３の基端部が接続される。該排気管２３は、シリンダ部７の前方に延びた後に折り返し、該シリンダ部７の左方を通過しながら後方に向かって延びて、その先端部が車体後部に配されたマフラ２４に接続される。なお、図１における符号２５はエンジン５冷却用のラジエータを、符号２６は不図示のインジェクタに燃料を圧送する燃料ポンプをそれぞれ示す。
【００１５】
鞍乗り型四輪車１の車体左右中央部には、前側から順にステアリングシャフト２７、燃料タンク２８、及び鞍乗りシート２９等が配設される。ステアリングシャフト２７の下端部は不図示の前輪操舵機構に連結されると共に、該ステアリングシャフト２７の上端部にはハンドル３１が取り付けられる。
【００１６】
車体フレーム４の前部には、車体前部を覆う樹脂製の車体カバー３２、及び各前輪２をその上方から後方に渡って覆う同じく樹脂製のフロントフェンダ３３、並びに主に鋼材からなるフロントプロテクタ３４及びフロントキャリア３５等が取り付けられる。また、車体フレーム４の後部には、各後輪３をその上方から前方に渡って覆う樹脂製のリアフェンダ３６、並びに主に鋼材からなるリアキャリア３７等が取り付けられる。
【００１７】
図３を併せて参照して説明すると、車体フレーム４は、複数種の鋼材を溶接等により一体的に結合してなるもので、より具体的には、左右のアッパパイプ４１及びロアパイプ４２等を用いて適宜閉ループ構造を形成し、かつこれらを複数のクロスメンバを介して結合することで、車体左右中央部において前後に長いボックス構造を形成している。ここで、各アッパパイプ４１及びロアパイプ４２を主として構成される部位を、車体フレーム４における前記センタ部４ｂとする。
【００１８】
各アッパパイプ４１は、車体フレーム４の上部外側においてやや後下がりに傾斜して配される上部傾斜部４１ａと、該上部傾斜部４１ａの前端部からこれに対して鋭角となるように斜め後下側に向けて延びる前部傾斜部４１ｂと、上部傾斜部４１ａの後端部からこれに対して鈍角となるように斜め後下側に向けて延びる後部傾斜部４１ｃとを、一本の鋼管に曲げ加工を施すことで一体に形成してなる。以下、各アッパパイプ４１における上部傾斜部４１ａと前部傾斜部４１ｂとの間の屈曲部を前側屈曲部４１ｄ、上部傾斜部４１ａと後部傾斜部４１ｃとの間の屈曲部を後側屈曲部４１ｅとして説明する。また、前部傾斜部４１ｂの略中央部における前方に向けて凸状となる屈曲部を中段屈曲部４１ｆとして説明する。
【００１９】
各ロアパイプ４２は、車体フレーム４の下部外側において略水平に配される下部水平部４２ａと、該下部水平部４２ａの後端部からこれに対して鈍角となるように斜め後上側に向けて延びる後部傾斜部４２ｂとを、一本の鋼管に曲げ加工を施すことで一体に形成してなる。また、各ロアパイプ４２は、その前端部（下部水平部４２ａの前端部）が車体上面視で前方に向けて凸状となる円弧状部４２ｃ（図２参照）を介して連続するように、すなわち左右で一体の構造体となるように設けられている。以下、各ロアパイプ４２における下部水平部４２ａと後部傾斜部４２ｂとの間の屈曲部を下段屈曲部４２ｄとして説明する。
【００２０】
各アッパパイプ４１の前部傾斜部４１ｂは、その下端部が同側のロアパイプ４２の下部水平部４２ａの前端部近傍に接合される。また、各アッパパイプ４１の後部傾斜部４１ｃは、その下端部が同側のロアパイプ４２の後部傾斜部４２ｂの長手方向略中央部に接合される。各アッパパイプ４１の後部傾斜部４１ｃの下部後側には、前後方向に扁平な略三角形状をなす左右のピボットブラケット４９がそれぞれ一体的に設けられる。該各ピボットブラケット４９は、リアサスペンション７０におけるスイングアーム７１の前端部を支持するためのものである。
【００２１】
各アッパパイプ４１の後側屈曲部４１ｅには、略水平に配されたシートレールとしての左右のリアアッパパイプ４３の前端部がそれぞれ接合される。該各リアアッパパイプ４３の長手方向略中央部には、同側のロアパイプ４２の後部傾斜部４２ｂの上端部がそれぞれ接合される。各ロアパイプ４２の後部傾斜部４２ｂの長手方向略中央部と同側のリアアッパパイプ４３の後端部との間には、後上がりに傾斜して配される左右のリアサブパイプ４４がそれぞれ渡設される。ここで、各リアアッパパイプ４３及びリアサブパイプ４４を主として構成される部位を、車体フレーム４における前記リア部４ｃとする。また、各リアアッパパイプ４３の長手方向略中央部間に渡設されるクロスメンバをリアクロスパイプ５７とする。
【００２２】
各ロアパイプ４２の下部水平部４２ａの前端部近傍には、略水平に配された左右のフロントロアパイプ４５の後端部がそれぞれ接合される。各フロントロアパイプ４５は、車体側面視において各前輪２の車軸近傍となる位置にて斜め上前方に向けて屈曲し、その前端部にてフロントプロテクタ３４の下端部を支持するものである。なお、符号５８は乗員用のステップを示し、該ステップ５８にはフロントフェンダ３３及びリアフェンダ３６に渡るステップボード５８ａが取り付けられる。
【００２３】
各アッパパイプ４１の前側屈曲部４１ｄには、該屈曲部４１ｄから同側のフロントロアパイプ４５の前端部近傍に渡る左右のフロントクッションパイプ４６の上端部がそれぞれ接合される。各フロントクッションパイプ４６は、同側のアッパパイプ４１の上段屈曲部４１ｄから前方に延びて間もなく斜め前下方に向けて屈曲し、かつその上部に対して下部が前方に位置するように緩やかなクランク状に屈曲し、その下端部が同側のフロントロアパイプ４５の前端部近傍にそれぞれ接合される。各フロントクッションパイプ４６の上下方向略中央部と同側のアッパパイプ４１の中段屈曲部４１ｆとの間には、やや前上がりに傾斜して配される左右のフロントサブパイプ４７がそれぞれ渡設される。
【００２４】
各フロントクッションパイプ４６間には、左右方向に沿って延びる中段前側クロスビーム５１及び上段中央クロスビーム５５がそれぞれ渡設される。以下同様に、各フロントロアパイプ４５間には下段前側クロスビーム５３及び下段後側クロスビーム５４が渡設され、各フロントサブパイプ４７間には中段後側クロスビーム５２が渡設される。ここで、各フロントロアパイプ４５、各フロントクッションパイプ４６、各フロントサブパイプ４７、及び各クロスビーム５１〜５５を主として構成される部位を、車体フレーム４における前記フロント部４ａとする。
【００２５】
図４，５に示すように、フロントサスペンション６０は、車体フレーム４のフロント部４ａに支持されるもので、所謂ダブルウィッシュボーン型として構成される。すなわち、フロントサスペンション６０は、車体フレーム４に基端側が上下に揺動自在に支持される左右のアッパアーム６１及びロアアーム６２と、各アッパアーム６１及びロアアーム６２の先端側にそれぞれ支持される左右のナックル６３と、各ロアアーム６２と車体フレーム４との間にそれぞれ介設される左右のフロントクッションユニット６４とを主としてなる。
【００２６】
各アッパアーム６１及びロアアーム６２は、その上面視で各ナックル６３側（先端側）から車体フレーム４側（基端側）に向けて分岐する略Ｖ字形をなすもので、これらの各分岐側端部には、後下がりに傾斜する短いパイプ状のフレーム連結部６１ａ，６２ａがそれぞれ一体的に設けられる。各フレーム連結部６１ａ，６２ａは、互いに平行になるように、かつ各アッパアーム６１及びロアアーム６２毎に中心軸線を共有するように設けられている。
【００２７】
一方、中段前側及び後側クロスビーム５１，５２の両側部には、各アッパアーム６１の前後のフレーム連結部６１ａに対応するアーム連結部５１ａ，５２ａがそれぞれ設けられる。同様に、下段前側及び後側クロスビーム５３，５４の両側部には、各ロアアーム６２の前後のフレーム連結部６２ａに対応するアーム連結部５３ａ，５４ａがそれぞれ設けられる。
【００２８】
各アーム連結部５１ａ〜５４ａには、対応するアッパアーム６１又はロアアーム６２のフレーム連結部６１ａ，６２ａが、これらを前記中心軸線に沿って貫通する揺動軸（例えば段付きボルト）を用いて連結される。この状態で、各アーム連結部５１ａ〜５４ａに各フレーム連結部６１ａ，６２ａが揺動軸及びその外周に配されたベアリングを介して回転自在に支持される。すなわち、車体フレーム４のフロント部４ａにアッパアーム６１及びロアアーム６２が揺動自在に支持されるのである。
【００２９】
各アッパアーム６１及びロアアーム６２の先端部には、ボールジョイント６１ｂ，６２ｂを介して各ナックル６３の上部又は下部がそれぞれ連結される。該各ナックル６３には、同側の前輪２のハブ部２ａが回転自在に支持されている。なお、各ナックル６３の外側であって前輪２のホイール内には、該前輪用ブレーキとしてのディスクブレーキユニット２ｂが配設されている。
【００３０】
各アッパアーム６１の後部には、上方に向けて突出するアーム側マウント６１ｃがそれぞれ設けられる。該各アーム側マウント６１ｃには、同側のフロントクッションユニット６４の下端部が、これらを前記中心軸線と平行に貫通する連結軸（例えば段付きボルト）を用いて連結される。この状態で、各アーム側マウント６１ｃすなわちアッパアーム６１に、各フロントクッションユニット６４の下端部が、該下端部に内装されたベアリング及び連結軸を介して支持される。
【００３１】
また、上段中央クロスビーム５５の両側部には、フレーム側マウント５５ａがそれぞれ設けられる。該フレーム側マウント５５ａには、同側のフロントクッションユニット６４の上端部が、これらを前記中心軸線と平行に貫通する連結軸（例えば段付きボルト）を用いて連結される。この状態で、各フレーム側マウント５５ａすなわち車体フレーム４に、各フロントクッションユニット６４の上端部が、該上端部に内装されたベアリング及び連結軸を介して支持される。
【００３２】
このような構成により、各前輪２に路面からの衝撃荷重等が入力されると、これらが同側のアッパアーム６１及びロアアーム６２を介して個別に上下に揺動してフロントクッションユニット６４を伸縮させ、該フロントクッションユニット６４の緩衝作用により前記荷重が穏やかに吸収される。
【００３３】
車体フレーム４のフロント部４ａの略中央部には、前ファイナルリダクションギヤユニット１３のケーシング１３ａがボルト等を用いて一体的に結合され、該前ファイナルリダクションギヤユニット１３の入力部１３ｂには、前ドライブシャフト１１の前端部が結合される。該前ファイナルリダクションギヤユニット１３は、前ドライブシャフト１１の駆動力の回転方向を変換すると共に、左右の前輪２への駆動力配分を調整する差動機構としても機能するものである。
【００３４】
前ファイナルリダクションギヤユニット１３の外側方には左右の内自在継ぎ手１５ａがそれぞれ配置され、該各内自在継ぎ手１５ａから延びる接続ロッドが前ファイナルリダクションギヤユニット１３の左右の出力部１３ｃにそれぞれ結合される。一方、各ナックル６３の内側方には左右の外自在継ぎ手１５ｂがそれぞれ配置され、該各外自在継ぎ手１５ｂから延びる接続ロッドが各前輪２のハブ部２ａにそれぞれ結合される。
【００３５】
各内自在継ぎ手１５ａと外自在継ぎ手１５ｂとの間には、左右のドライブシャフト１５がそれぞれ渡設される。すなわち、各ドライブシャフト１５は、その内側端部が同側の内自在継ぎ手１５ａを介して前ファイナルリダクションギヤユニット１３の出力部１３ｃにそれぞれ連結されると共に、外側端部が外自在継ぎ手１５ｂを介して各前輪２のハブ部２ａにそれぞれ連結される。
【００３６】
そして、前出力軸８に出力されたエンジン５の駆動力は、前ドライブシャフト１１、前ファイナルリダクションギヤユニット１３、各内自在継ぎ手１５ａ、各ドライブシャフト１５、及び各外自在継ぎ手１５ｂを介して、各前輪２にそれぞれ伝達される。
【００３７】
図６，７に示すように、各後輪３を懸架するリアサスペンション７０は、スイングアーム７１及びリアクッションユニット７２を主として構成される。スイングアーム７１は、その前端部が各ピボットブラケット４９に上下に揺動自在に支持される一方、その後端部において各後輪３のハブ部３ａ間に渡るリアアクスルシャフト１６を回転自在に支持するものである。このようなスイングアーム７１は、その前端部を除く大部分が両後輪３間に位置するように設けられる。
【００３８】
スイングアーム７１の後端部近傍には、車体左右略中央において上方に位置するほど前方に位置するように傾斜して配されるリアクッションユニット７２の下端部が連結される。また、該リアクッションユニット７２の上端部は、車体フレーム４におけるリアクロスパイプ５７に連結されている。このような構成により、各後輪３に路面からの衝撃荷重等が入力されると、両後輪３がスイングアーム７１を介して上下に揺動してリアクッションユニット７２を伸縮させ、該リアクッションユニット７２の緩衝作用により前記荷重が穏やかに吸収される。
【００３９】
スイングアーム７１は、前後に延設される左右のアーム体７３と、これらに渡るクロスメンバ７４と、各アーム体７３の前端部にそれぞれ設けられる左右のピボット連結部７５と、各アーム体７３の後端部にそれぞれ設けられる左右の支持プレート７６とを有し、これらが溶接等により一体的に結合されてなる。このようなスイングアーム７１は、車体中心に対して概ね左右対称に設けられている。
【００４０】
各アーム体７３は、その前後方向略中央部において下方に向けて凸状となるように屈曲形成されると共に、前端部が側面視で先細りとなるようにテーパ状に形成され、かつ後端部が上面視で先細りとなるように比較的緩やかなテーパ状に形成される。このような各アーム体７３は、後方に位置するほど相互間の距離を減少させるように車体上面視でやや傾斜して配置されている。
【００４１】
各ピボット連結部７５は、左右方向に沿う短いパイプ状のもので、該各ピボット連結部７５の後部に同側のアーム体７３の前端部がそれぞれ接合される。
各支持プレート７６は、車体側面に沿う厚板状のもので、その前部には各アーム体７３の後端部を挟み込むように上下一対の突出部７６ａが設けられ、該前部に同側のアーム体７３の後端部が嵌まり込んだ状態でそれぞれ接合される。また、各支持プレート７６の後部には、前記リアアクスルシャフト１６を支持するべく、後方に向けて開放する略コの字形の支持部７６ｂがそれぞれ設けられる。
【００４２】
クロスメンバ７４は、左右方向に沿って概ね直線的に延びるもので、両アーム体７３の屈曲部間に渡設されている。該クロスメンバ７４の両側部は、その上面視で末広がりとなるようにテーパ状に形成され、該両側部と各アーム体７３との接合長さを稼ぐと共に応力集中を緩和させている。
【００４３】
このようなクロスメンバ７４は、車体側面視で各アーム体７３の下側部に沿う円弧状断面を有するプレート部材７７と、同じく車体側面視で上方に向けて凸状の略ハット形断面を有するハット形部材７８とを有し、該ハット形部材７８の前後の下辺部７８ａがプレート部材７７に上方から重合した状態でこれらが溶接により一体的に結合されてなる。
【００４４】
ハット形部材７８の上辺部７８ｂと各下辺部７８ａとに渡る前後の立壁部７８ｃは、下方（プレート部材７７側）に位置するほど相互間の距離を増加させるように傾斜して設けられる。また、プレート部材７７の前後幅は、ハット形部材７８の前後幅よりも幅広とされる。これにより、クロスメンバ７４の底部（プレート部材７７）の前後幅が、その上部（ハット形部材７８の上辺部７８ｂ）の前後幅よりも十分幅広とされると共に、クロスメンバ７４内に断面略台形状の内部空間部が形成される。
【００４５】
しかも、クロスメンバ７４は、車体側面視において、その底部が各アーム体７３の下側部に沿って設けられると共に、上部が各アーム体７３の上側部よりも下方に位置するように設けられる。すなわち、クロスメンバ７４の上下幅が、各アーム体７３の上下幅よりも狭くなるように設定されており、したがってクロスメンバ７４は、車体側面視において、各アーム体７３の上下から突出しないようになっている。
【００４６】
ここで、車体側面視でスイングアーム７１のピボット中心とリアアクスルシャフト１６の軸中心とを結んだ線をアーム基準線Ｋとすると、クロスメンバ７４は、アーム基準線Ｋに対して下方にオフセットして設けられる。またここで、前記後ドライブシャフト１２は、その中心軸線が車体側面視でアーム基準線Ｋと重なるように配されている。したがって後ドライブシャフト１２とクロスメンバ７４との間には、上下方向で十分なクリアランスが確保されている。
【００４７】
各ピボット連結部７５は、同側のピボットブラケット４９に対して、これらを左右方向に沿って貫通するピボット軸（例えば段付きボルト）を用いて連結される。この状態で、各ピボットブラケット４９に各ピボット連結部７５がピボット軸及びその外周に配されたベアリングを介して回転自在に支持される。すなわち、車体フレーム４にスイングアーム７１の前端部が揺動自在に支持されるのである。
【００４８】
左側の支持プレート７６には、後ドライブシャフト１２からの駆動力をリアアクスルシャフト１６の駆動力に変換する後ファイナルリダクションギヤユニット１４が取り付けられる。一方、右側の支持プレート７６には、後輪用ブレーキとしてのドラムブレーキユニット８１が取り付けられる。これら後ファイナルリダクションギヤユニット１４及びドラムブレーキユニット８１を介して、スイングアーム７１の後端部にリアアクスルシャフト１６が回転自在に支持されている。
【００４９】
後ファイナルリダクションギヤユニット１４は、エンジン５の後出力軸９に対応して車体左側にオフセットして設けられる。後出力軸９の後端部には、後ドライブシャフト１２の前端部が自在継ぎ手１２ａを介して連結される。ここで、自在継ぎ手１２ａは、その可動中心がピボット中心上に位置するよう設けられる。後ドライブシャフト１２の後端部は、後ファイナルリダクションギヤユニット１４における入力側のベベルギヤ１４ｂに結合される。ここで、後ドライブシャフト１２は、自在継ぎ手１２ａと後ファイナルリダクションギヤユニット１４との間において、その外表面を露出させた状態で配置されると共に、その露出部分のほぼ全域がクロスメンバ７４により下方から覆われている。
【００５０】
ベベルギヤ１４ｂは、これに噛み合う大径ベベルギヤ１４ｃと共に、後ファイナルリダクションギヤユニット１４のケーシング１４ａ内において回転自在に支持されている。大径ベベルギヤ１４ｃはリアアクスルシャフト１６と同軸配置されており、該大径ベベルギヤ１４ｃのハブ部がこれを貫通するリアアクスルシャフト１６にスプライン嵌合により結合される。
【００５１】
ケーシング１４ａは、その左側面を支持プレート７６の右側面に当接させるようにしてこれにボルト等により一体的に結合される。これにより、左アーム体７３の後端部にリアアクスルシャフト１６が後ファイナルリダクションギヤユニット１４を介して回転自在に支持される。
そして、後出力軸９に出力されたエンジン５の駆動力は、自在継ぎ手１２ａ、後ドライブシャフト１２、後ファイナルリダクションギヤユニット１４、及びリアアクスルシャフト１６を介して、各後輪３にそれぞれ伝達される。
【００５２】
ドラムブレーキユニット８１は、左方に向けて開口するブレーキドラム８２と、該ブレーキドラム８２の左側に対向配置されるブレーキベース８３とを有する。
ブレーキドラム８２はリアアクスルシャフト１６と同軸配置されており、該ブレーキドラム８２のハブ部がこれを貫通するリアアクスルシャフト１６にスプライン嵌合により結合される。
【００５３】
また、ブレーキベース８３は、その左側面を支持プレート７６の右側面に当接させるようにしてこれにボルト等により一体的に結合される。また、ブレーキベース８３は、そのハブ部を貫通するリアアクスルシャフト１６にボールベアリング８３ａを介して回転自在に支持されている。
【００５４】
ブレーキベース８３には、一対のブレーキシュー８４がブレーキドラム８２の内周に摩擦接触し得るように支持される。すなわち、ブレーキベース８３には、各ブレーキシュー８４の支軸となるアンカーピン８４ａが立設されると共に、各ブレーキシュー８４を拡開作動させるカム軸８４ｂが回動自在に支持され、該カム軸８４ｂの先端部には作動レバー８４ｃがセレーション嵌合により取り付けられ、該作動レバー８４ｃが、不図示のブレーキ操作子の操作によりケーブル８４ｄを介して作動することで、カム軸８４ｂが回動し各ブレーキシュー８４が拡開してブレーキドラム８２の内周に摩擦接触する。
【００５５】
ボールベアリング８３ａのインナレースの左側面には、リアアクスルシャフト１６の外周に形成された環状突部１６ａの右側面が当接すると共に、該インナレースの右側面には、ブレーキドラム８２のハブ部の左側面が当接するようになっている。リアアクスルシャフト１６におけるドラムブレーキユニット８１の右端近傍となる部位は、その外周にネジ山が刻設されたネジ部１６ｂとされ、該ネジ部１６ｂに二つのナット１６ｃを螺着しドラムブレーキユニット８１をダブルナット固定することで、スイングアーム７１（右アーム体７３）に対するドラムブレーキユニット８１及びリアアクスルシャフト１６の左右方向での位置が規制される。
【００５６】
ドラムブレーキユニット８１と後ファイナルリダクションギヤユニット１４との間には、左右方向に沿う円筒状のアクスルハウジング８５が配置される。該アクスルハウジング８５は、その内部にリアアクスルシャフト１６を挿通させるもので、その左端フランジ部が、その左側面を後ファイナルリダクションギヤユニット１４のケーシング１４ａの右側面に当接させてこれにボルト等により一体的に結合される。また、アクスルハウジング８５は、その右端フランジ部が、その右側面をドラムブレーキユニット８１のブレーキベース８３の左側面に当接するようになっている。すなわちアクスルハウジング８５は、ドラムブレーキユニット８１と後ファイナルリダクションギヤユニット１４との間のディスタンスカラーとしても機能している。
【００５７】
アクスルハウジング８５の左右方向略中央部には、斜め下前方に向けて突出するロアマウント８５ａが設けられる。該ロアマウント８５ａには、リアクッションユニット７２の下端部が、これらを左右方向に沿って貫通する連結軸（例えば段付きボルト）を用いて連結される。一方、該リアクッションユニット７２の上端部は、車体フレーム４のリアクロスパイプ５７の左右方向略中央部に設けられたアッパマウント５７ａに、同じく左右方向に沿う連結軸（例えば段付きボルト）を用いて連結される。なお、アクスルハウジング８５の左右方向略中央部には、後方に延びるマウントブラケット８５ｂ及びこれに支持されるヒッチボール８５ｃを主として所謂トレーラヒッチが構成される。
【００５８】
以上説明したように、上記実施例におけるスイングアーム部構造は、スイングアーム７１が左右一対のアーム体７３間にクロスメンバ７４を設けてなり、該スイングアーム７１の先端側には後輪３が懸架され、かつクロスメンバ７４の上方には後ファイナルリダクションギヤユニット１４に接続される後輪駆動用の後ドライブシャフト１２が配置されるものであって、クロスメンバ７４が、側面視で各アーム体７３の外形内に収まると共に、底部が上部よりも幅広な断面台形状とされ、かつ各アーム体７３が、下方に向けて凸形となるように湾曲しているものである。
【００５９】
この構成によれば、クロスメンバ７４が各アーム体７３よりも下方へ突出することがなく、路面等に接触し難くなるため、このような接触を考慮してクロスメンバ７４の剛性を必要以上に高める必要がなくなる。また、クロスメンバ７４が直線的に構成されることで、該クロスメンバ７４の剛性確保が容易になる。さらに、クロスメンバ７４の底部が幅広に設けられることで、後ドライブシャフト１２に飛石等が当たり難くなると共に、上部が幅狭に設けられることで、クロスメンバ７４の重量を抑えることが可能となる。
すなわち、クロスメンバ７４の要求剛性を低く抑えると共に剛性確保を容易にして重量軽減を図ることができ、かつ後ドライブシャフト１２の保護性を高めることができる。
【００６０】
また、上記スイングアーム部構造においては、各アーム体７３が、下方に向けて凸形となるように湾曲していることで、各アーム体７３間に設けられるクロスメンバ７４が下方に位置することとなり、該クロスメンバ７４上方に後ドライブシャフト１２を配設し易くなる。すなわち、後ドライブシャフト１２のレイアウト性を向上させることができる。
【００６１】
さらに、上記スイングアーム部構造においては、後ドライブシャフト１２が、車体左右中央から左側にオフセットして設けられる一方、車体フレーム４とスイングアーム７１との間に介在するリアクッションユニット７２が車体左右略中央に設けられることで、クッションユニット７２が車体左右略中央に配置されると共に、該クッションユニット７２の左右に後ドライブシャフト１２及びドラムブレーキユニット８１が配置されることとなるため、スイングアーム式リアサスペンション１３０のレイアウトが最適化され、良好なクッション性能を得ることができる。
【００６２】
しかも、上記スイングアーム部構造においては、後ドライブシャフト１２が、その外表面を露出させた状態で配置されると共に、クロスメンバ７４が、後ドライブシャフト１２の露出部分を覆うことで、後ドライブシャフト１２用のカバーを廃止してコストダウン及び重量軽減を図りつつ、該後ドライブシャフト１２の露出部分をクロスメンバ７４で保護することが可能となる。すなわち、スイングアーム部のコストダウン及び重量軽減を図った上で後ドライブシャフト１２の保護性を高めることができる。
【００６３】
なお、上記実施例における鞍乗り型四輪車１の構成はこの発明の一例であり、鞍乗り型四輪車への適用に限定されないことはもちろん、発明の要旨を逸脱しない範囲で種々の変更が可能であることはいうまでもない。
【図面の簡単な説明】
【００６４】
【図１】この発明における鞍乗り型四輪車の側面図である。
【図２】上記鞍乗り型四輪車の上面図である。
【図３】上記鞍乗り型四輪車の車体フレームの側面図である。
【図４】上記鞍乗り型四輪車のフロントサスペンションの側面図である。
【図５】図４におけるＡ矢視図である。
【図６】上記鞍乗り型四輪車のスイングアーム式リアサスペンションの側面図である。
【図７】上記スイングアーム式リアサスペンションの上面説明図である。
【符号の説明】
【００６５】
３  後輪（車輪）
１２  後ドライブシャフト（ドライブシャフト）
１４  後ファイナルリダクションギヤユニット（ファイナルリダクションギヤユニット）
７１  スイングアーム
７２  リアクッションユニット（クッションユニット）
７３  アーム体
７４  クロスメンバ
【図１】
2006103376.tif 000003
【図２】
2006103376.tif 000004
【図３】
2006103376.tif 000005
【図４】
2006103376.tif 000006
【図５】
2006103376.tif 000007
【図６】
2006103376.tif 000008
【図７】
2006103376.tif 000009